(57)【要約】【課題】  照明器具を、仕切板の上端部に着脱可能として簡単に、かつ体裁よく取付ける。【解決手段】  机の天板上に立設した仕切板４の上端に、前面に側面視Ｌ字状の上下１対の係止片１３、１１を有する横フレーム６を設けるとともに、照明器具８の後面に、上記係止片１３、１１に上方より係合可能な係止片２４、２４を突設し、かつ照明器具８の下方寄りに、照明器具８内から螺挿して後方に突出する固定ボルト２６を螺合し、横フレームの係止片１３、１１に照明器具８の係止片２４を係合した状態で、固定ボルト２６を、その後端が横フレーム６の前面に当接するまで締め込む。【選択図】  図２
2005131198.tif 000002
【特許請求の範囲】
【請求項１】
机の天板上に立設した仕切板の上端部に、照明器具を取付ける取付構造であって、前記仕切板の上端に、前面に左右方向を向く側面視ほぼＬ字状の上下１対の係止片を有する横フレームを設けるとともに、前記照明器具の後面に、前記上下の係止片に上方より係合可能な側面視下向きＬ字状の上下１対の係止片を突設し、かつ照明器具の上下の係止片間の下方寄りに、照明器具内から螺挿してその後端面より突出可能な固定ボルトを螺合し、前記横フレームの上下の係止片に、照明器具の上下の係止片を係合させた状態で、前記固定ボルトを締め込み、その後端を横フレームにおける下部の係止片の直上の前面に当接させることにより、前記照明器具を、その上端部の後面が横フレームの上端部前面と近接又は当接する正規の状態で、横フレームの前面に固定するようにしたことを特徴とする机における仕切板への照明器具の取付構造。
【請求項２】
照明器具が、後端に垂直をなす基板を有するとともに、内部に照明灯が収容された傘カバーを備え、前記基板の後面に上下１対の係止片を突設したことを特徴とする請求項１に記載の机における仕切板への照明器具の取付構造。
【請求項３】
照明器具を正規の状態に取付けたとき、傘カバーの上面と横フレームの上面とがほぼ同一面に連続するようにした請求項２に記載の机における仕切板への照明器具の取付構造。
【請求項４】
横フレームの前面に、下端が固定ボルトの上面と近接する逆Ｌ字状の係止片を突設した請求項１ないし３のいずれかに記載の机における仕切板への照明器具の取付構造。
【発明の詳細な説明】
【技術分野】
【０００１】
本発明は、机の天板上に立設した仕切板の上端部に、照明器具を取付ける際の取付構造に関する。
【背景技術】
【０００２】
机における天板の後端部等に立設した仕切板に照明器具を取付けるには、通常、照明器具自体もしくはそのブラケットをねじ等をもって直接仕切板に固定するか、又は、照明器具に付設した挟持金具により仕切板の上端部を挟持するなどして取付けている。
【０００３】
しかし、これらの取付構造では、仕切板にねじ孔を設ける必要があるとともに、照明器具の着脱も面倒であり、また、ねじや挟持金具等が露出するため、見栄えが悪い。
【０００４】
そこで、本願の出願人は、仕切板の上部に、特許文献１に記載されているような横連結杆（横フレーム）を設け、これに、特許文献１に記載されているのと同様の要領で照明器具を取付けることを案出した。
【０００５】
【特許文献１】特開２００２−１３８６０９号公報（図１０）
【発明の開示】
【発明が解決しようとする課題】
【０００６】
上記特許文献１に記載されているような照明器具の取付構造では、横連結杆の側面に形成された、ほぼＣ字状断面の係止溝内に挟持板を挿入し、この挟持板にブラケットをねじにより固定した後、該ブラケットに照明器具を取付けているため、横連結杆に対しブラケットを着脱する際には、その都度照明器具を取外さなければならず、その作業が面倒であり、照明器具をオプションとして簡単に装着できないという問題がある。
また、ブラケットが露出するため、体裁も悪い。
【０００７】
本発明は、上記問題点を解決するためになされたもので、照明器具を、仕切板の上端部に着脱可能として簡単に、かつ体裁よく取付けることができるようにした机における仕切板への照明器具の取付構造を提供することを目的としている。
【課題を解決するための手段】
【０００８】
上記目的を達成するために、本発明の請求項１に記載の照明器具の取付構造は、机の天板上に立設した仕切板の上端部に、照明器具を取付ける取付構造であって、前記仕切板の上端に、前面に左右方向を向く側面視ほぼＬ字状の上下１対の係止片を有する横フレームを設けるとともに、前記照明器具の後面に、前記上下の係止片に上方より係合可能な側面視下向きＬ字状の上下１対の係止片を突設し、かつ照明器具の上下の係止片間の下方寄りに、照明器具内から螺挿してその後端面より突出可能な固定ボルトを螺合し、前記横フレームの上下の係止片に、照明器具の上下の係止片を係合させた状態で、前記固定ボルトを締め込み、その後端を横フレームにおける下部の係止片の直上の前面に当接させることにより、前記照明器具を、その上端部の後面が横フレームの上端部前面と近接又は当接する正規の状態で、横フレームの前面に固定するようにしたことを特徴としている。
この特徴によれば、横フレームの係止片に照明器具の係止片を上方より係合させたのち、固定ボルトを締め込んで照明器具を正規の状態に固定し得るので、照明器具を簡単に、かつ着脱可能として仕切板の上端部に取付けることができる。
また、固定ボルトが露出しないので体裁がよい。
【０００９】
本発明の請求項２に記載の照明器具の取付構造は、請求項１に記載の照明器具の取付構造であって、照明器具が、後端に垂直をなす基板を有するとともに、内部に照明灯が収容された傘カバーを備え、前記基板の後面に上下１対の係止片を突設することを特徴としている。
この特徴によれば、傘カバーの基板と横フレームとを近接させて取付けることができるので、照明器具取付後の見栄えが向上する。
【００１０】
本発明の請求項３に記載の照明器具の取付構造は、請求項２に記載の照明器具の取付構造であって、照明器具を正規の状態に取付けたとき、傘カバーの上面と横フレームの上面とがほぼ同一面に連続するようにすることを特徴としている。
この特徴によれば、横フレームと照明器具とが一体感を有するようになり、見栄えがより向上する。
【００１１】
本発明の請求項４に記載の照明器具の取付構造は、請求項１ないし３のいずれかに記載の照明器具の取付構造であって、横フレームの前面に、下端が固定ボルトの上面と近接する逆Ｌ字状の係止片を突設することを特徴としている。
この特徴によれば、万一固定ボルトが緩んでも、その上面が逆Ｌ字状の係止片の下端と当接し、照明器具の係止片が横フレームの係合片より外れることはないので、照明器具が横フレームより落下恐れはない。
【発明を実施するための最良の形態】
【００１２】
以下、本発明の一実施形態を図面に基づいて説明する。
【００１３】
図１は、本発明を適用した机１の斜視図で、下図の四隅部を４本の脚柱２により支持された長方形をなす天板３の後端部上面には、仕切板４が立設されている。仕切板４は、図２及び図３にも示すように、天板３の後端隅部に立設された左右１対のサイドフレーム５、５と、その上端の対向面間に固着された横フレーム６と、天板３の上面とにより囲まれた空間に嵌め込まれて取付けられている。
【００１４】
天板３の上面の左右両側端と中央には、半透明のサイドパネル７が立設されている。また、仕切板４の前面の上端部、すなわち横フレーム６の前面には、照明器具８が、次のようにして取付けられている。
【００１５】
横フレーム６は、上下両面が前後方向になだらかに湾曲する概ね方形断面をなし、下面中央には、仕切板４の上端部が嵌合される凹溝９が、左右方向に全長にわたって形成されている。
【００１６】
横フレーム６の前後両面における上下両端には、それぞれ下方が開口する逆Ｌ字状の係止片１０、１０と、上方が開口する側面視Ｌ字状の係止片１１、１１が、左右方向に全長にわたって一体的に形成され、また前後両面の中央には、前後方向を向く基片１２を共通とする、上方が開口するＬ字状の係止片１３と下方が開口する逆Ｌ字状の係止片１４が、左右方向に全長にわたって形成されている。
【００１７】
前後の各係止片１０、１１、１３、１４の前面と後面は、同一面に整合しており、かつそれらの対向端面は所要寸法離間している。また、横フレーム６は、アルミニウム合金等の押し出し成形品よりなっている。
【００１８】
上記照明器具８は、上面が横フレーム６の上面と同じ曲率半径で斜め前下方に湾曲するとともに、水平をなす下面と両側面が開口された、側面視ほぼ直角三角形断面をなす傘カバー１５と、その内部に、ブラケット１６と１対の給電ソケット１７により支持されて収容された蛍光管等の照明灯１８とからなり、傘カバー１５は、アルミニウム合金又は硬質合成樹脂等の押出し成形品よりなっている。
【００１９】
傘カバー１５の下面の開口面には、透光板１９が、また左右の開口面には、側板２０がそれぞれ取付けられている。なお、２１は、照明器具８のオン・オフスイッチで、透光板１９の一部を切欠いてブラケット１６に取付けられている。
【００２０】
傘カバー１５における後端の垂直をなす基板２２の後面の上下両端には、短寸のストッパ突条２３，２３が、また下部のストッパ突条２３の真上と、中央よりも若干上方の後面とには、下方が開口する側面視下向きＬ字状の係合片２４，２４が、それぞれ左右方向に全長にわたって後向きに突設されている。上下の係合片２４の突出寸法は、横フレーム６の前面側の中央と下部の係合片１３，１１に、上部のストッパ突条２３が横フレーム６の前面と当接する前に係合し得る寸法としてある。
【００２１】
傘カバー１５の基板２２における下部の係止片２４と近接する上部の左右両端部には、雌ねじ孔２５が穿設され、この雌ねじ孔２５には、前後方向を向く固定ボルト２６が、傘カバー１５の内部から後方に突出するように螺合されている。
【００２２】
なお、固定ボルト２６は、基板２２の上下の係止片２４を横フレーム６の係止片１３，１１に係合させたとき、逆Ｌ字状をなす係止片１４の下端と近接する下方に位置するようになっている。
【００２３】
照明器具８を横フレーム６の前面に取付けるには、透光板１９を取外した状態で、図４に示すように、傘カバー１５の基板２２の上下の係止片２４を、横フレーム６の前面側の中央と下部の係止片１３，１１に上方より係合し、照明器具８を横フレーム６に仮支持する。
【００２４】
この状態では、照明器具８の自重により若干前下がりとなり、上部のストッパ突条２３と横フレーム６の上端の前面との間、及び傘カバー１５における下部の係止片２４の下向片２４ａと、横フレーム６における下部の係止片１１の上向片１１ａとの間には、それぞれ若干の隙間が形成される。
【００２５】
次いで、固定ボルト２６を締め込み、その後端により横フレーム６の前面を押圧すると、照明器具８が、上部の係止片２４を中心として上向きに回動することにより、図３に示すように、上部のストッパ突条２３が横フレーム６の前面に当接するとともに、係止片２４の下向片２４ａと、係止片１１の上向片１１ａとが当接し、照明器具８は、横フレーム６の前面に正規の状態で固定され、傘カバー１５の上面と横フレーム６の上面とが曲面状に連続する。そして、最後に透光板１９を取付ければ、照明器具８の取付けが完了する。
【００２６】
照明器具８の取付後において、万一固定ボルト２６が緩んでも、それと近接する上方には、横フレーム６の逆Ｌ字状をなす係止片１４の下端が位置し、照明器具８が上方に移動したとき、ボルト２６の上面が係止片１４の下端と当接するため、係止片２４が横フレーム６の係止片１３，１１より外れて、照明器具８が落下するなどの恐れはない。
【００２７】
以上説明したように、照明器具８における傘カバー１５の基板２２に、横フレーム６の中央と下部の係止片１３，１１に上方より係合可能な係止片２４を設け、この係止片２４を上記係止片１３，１１に係合させて仮支持した状態で、照明器具８の内部より固定ボルト２６を締め込んで正規の状態に固定するようにしているため、照明器具８を、横フレーム６の前面に着脱可能として簡単に取付けることができる。
【００２８】
また、固定ボルト２６が露出したり、照明器具取付用の特別なブラケット等を用いたりする必要がないので、体裁も良い。
【００２９】
なお、上記実施形態の横フレーム６は、２個の机の天板３同士を突合わせて配置する際に、その後面にも照明器具を取付け可能とするために、後面にも前面と同様の係止片１０〜１４を対称的に設けたものを用いたが、実施形態のような机１に適用する際は、後面側の各係止片は省略してもよい。
【００３０】
また、傘カバー１５の上部のストッパ突条２３を省略し、その分、係止片２４の突出寸法を短寸としてもよい。
【００３１】
照明器具８の左右寸法が小さいときには、固定ボルト２６は、左右方向の中央部に１個のみとしてもよい。
【図面の簡単な説明】
【００３２】
【図１】本発明を適用した机の斜視図である。
【図２】仕切板上部とそれに取付けられた照明器具の一部切欠き正面図である。
【図３】図２のIII−III線に沿う拡大縦断側面図である。
【図４】照明器具を仮支持した状態の図３と同部位の拡大縦断側面図である。
【符号の説明】
【００３３】
１            机
２            脚柱
３            天板
４            仕切板
５            サイドフレーム
６            横フレーム
７            サイドパネル
８            照明器具
９            凹溝
１０，１１    係止片
１１ａ        上向片
１２          基片
１３，１４    係止片
１５          傘カバー
１６          ブラケット
１７          給電ソケット
１８          照明灯
１９          透光板
２０          側板
２１          オン・オフスイッチ
２２          基板
２３          ストッパ突条
２４          係止片
２４ａ        下向片
２５          雌ねじ孔
２６          固定ボルト
【図１】
2005131198.tif 000003
【図２】
2005131198.tif 000004
【図３】
2005131198.tif 000005
【図４】
2005131198.tif 000006